Podtech/llm-jp-corpus-v4-ja_patent huggingface dataset:
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
電気装置の機能を実行するための、電気装置内のコンポーネントであって、
前記コンポーネントの診断状態を示すための診断インジケータであって、該コンポーネントが一次電源を使用できるとき、前記電気装置と関連付けられた一次電源から電力を受け取る診断インジケータと、
内蔵型電源と、
前記コンポーネントが前記一次電源を使用できないとき、前記内蔵型電源を接続して前記診断インジケータに電力を供給するための少なくとも１つのスイッチと、
前記コンポーネントが前記一次電源を使用できる場合、いつ該コンポーネントが前記電気装置内に取り付けられたかを示し、該コンポーネントが該一次電源を使用できない場合、いつ該コンポーネントが該電気装置から取り外されたかを示す存在検知装置と
を備え、
前記少なくとも１つのスイッチは前記存在検知装置に応答する、コンポーネント。
【請求項２】
前記内蔵型電源及び前記少なくとも１つのスイッチを保持するためのハウジングをさらに備え、
前記診断インジケータは前記ハウジング上に設けられる、請求項１に記載のコンポーネント。
【請求項３】
前記コンポーネントが前記電気装置内に取り付けられたとき、該コンポーネントは前記一次電源を使用でき、
前記コンポーネントが前記電気装置から取り外されたとき、該コンポーネントは前記一次電源を使用できない、請求項１又は２に記載のコンポーネント。
【請求項４】
前記コンポーネントが前記一次電源を使用できる場合、いつ高レベル・アセンブリが前記電気装置内に取り付けられたかを示し、該コンポーネントが該一次電源を使用できない場合、いつ前記高レベル・アセンブリが該電気装置から取り外されたかを示す、存在検知装置をさらに備え、
前記少なくとも１つのスイッチは前記存在検知装置に応答する、請求項１乃至３のいずれかに記載のコンポーネント。
【請求項５】
診断インジケータを有するコンポーネントであって、電気装置の機能を実行するために電気装置内に設けられたコンポーネントに電力を供給する方法であって、
前記コンポーネントが前記一次電源を使用できるとき、前記コンポーネントにおいて前記電気装置と関連付けられた一次電源から電力を受け取るステップと、
前記コンポーネントが前記一次電源を使用できるとき、該一次電源を接続して前記診断インジケータに電力を供給するステップと、
前記コンポーネントが前記一次電源を使用できないとき、内蔵型電源を接続して前記診断インジケータに電力を供給するステップ
を含み、
前記コンポーネントが前記一次電源を使用できる場合、いつ該コンポーネントが前記電気装置内に取り付けられたかを示し、該コンポーネントが該一次電源を使用できない場合、いつ該コンポーネントが該電気装置から取り外されたかを示す存在検知装置
を備え、
前記少なくとも１つのスイッチは前記存在検知装置に応答する、方法。
【請求項６】
前記内蔵型電源及び前記少なくとも１つのスイッチを保持するためのハウジングを準備するステップをさらに含み、
前記診断インジケータは、前記ハウジング上に設けられる、請求項５に記載の方法。
【請求項７】
前記コンポーネントが前記電気装置内に取り付けられたとき、該コンポーネントは前記一次電源を使用でき、
前記コンポーネントが前記電気装置から取り外されたとき、該コンポーネントは前記一次電源を使用できない、請求項５又は６に記載の方法。
【請求項８】
コンピュータ・システムにロードされ、そこで実行されたとき、前記コンピュータ・システムに、請求項５乃至７のいずれかに記載の方法のステップを実行させる、コンピュータ・プログラム。
【手続補正書】
【提出日】平成20年10月7日(2008.10.7)
【手続補正１】
【補正対象書類名】図面
【補正対象項目名】図３
【補正方法】変更
【補正の内容】
【図３】
2008518580.tif 000001
【手続補正２】
【補正対象書類名】明細書
【補正対象項目名】００３６
【補正方法】変更
【補正の内容】
【００３６】
図３を参照して、例示されたロータコアのスロット３００には、動作中のストレスを減少させるために、スロットの一端または両端に、フィレット(fillet)またはラジアス(radius)のような切欠き(undercut)３０２を設けることができる。図１〜３の実施例に示されるように、センターラインスロットにはフィレットまたはラジアスを形成することができる。ロータコア１０２のスロットのうち、どのスロットでも必要に応じて上述のようなフィレットまたはラジアスを設けることができる。
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
以下の工程を含む、CpGアイランド核酸フラグメントを単離する方法：
a）生物から核酸サンプルを得る工程；
b）前記核酸サンプルをフラグメント化する工程；
c）前記核酸フラグメントを、CpGジヌクレオチド対に結合することができるペプチドと接触させる工程；
d）結合した核酸フラグメントから結合していない核酸フラグメントを分離する工程；及び
e）結合した核酸フラグメントを前記ペプチドから取り外す工程。
特異的配列を、基盤とアレイで結合させる工程。
【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
ａ．ＥＢＶ由来複製起点（Ｏｒｉ−Ｐ）；
ｂ．Ａｄ５（ＩＴＲ結合部）；
ｃ．Ａｄ５由来ポリメラーゼおよびプレ末端タンパク質をコードする核酸配列からなる第１転写単位；
ｄ．Ａｄ５  Ｅ４  ＯＲＦ６およびＤＮＡ結合タンパク質をコードする核酸配列からなる第２転写単位；および
ｅ．選択マーカー
を含んでなり、第１転写単位および第２転写単位が二方向性テトラサイクリン依存性プロモーターに融合している、アデノウイルスアンプリコン。
【請求項２】
前記アンプリコンがｐＥ２のヌクレオチド配列を含む、請求項１記載のアデノウイルスアンプリコン。
【請求項３】
プラスミドＬＭＢＰ４９７２のヌクレオチド配列からなるエピソームプラスミド。
【請求項４】
プロモーターに融合したトランスジーンをコードする発現カセットを更に含む、請求項１記載のアデノウイルスアンプリコン。
【請求項５】
ａ．ＥＢＶ由来ＥＢＮＡ１タンパク質；
ｂ．Ｔｅｔ転写サイレンサー；
ｃ．Ｔｅｔ逆トランスアクチベーター；
ｄ．アデノウイルスアンプリコン｛前記アデノウイルスアンプリコンは、ＥＢＶ由来Ｏｒｉ−Ｐ、アデノウイルスＩＴＲ結合部、ならびに第２転写単位（第２転写単位はＡｄ５  Ｅ４  ＯＲＦ６およびＤＮＡ結合タンパク質をコードする核酸配列からなる）と組合された第１転写単位（第１転写単位はＡｄ５由来ポリメラーゼおよびプレ末端タンパク質をコードする核酸配列からなる）よりなり、第１転写単位および第２転写単位は二方向性テトラサイクリン依存性プロモーターに融合している｝；および
ｅ．選択マーカー、
を発現する、アデノウイルスプロデューサー細胞。
【請求項６】
前記細胞が、ＥＢＮＡ１タンパク質を発現する霊長類由来細胞系である、請求項５記載のプロデューサー細胞。
【請求項７】
前記細胞が２９３ＥＢＮＡである、請求項６記載のプロデューサー細胞系。
【請求項８】
Ｔｅｔ転写サイレンサーがｔＴＳｋｉｄである、請求項５記載のプロデューサー細胞。
【請求項９】
Ｔｅｔ逆トランスアクチベーターがｒｔＴＡ２である、請求項８記載のプロデューサー細胞系。
【請求項１０】
２Ｅ２プロデューサー細胞（ｐＥ２で形質転換された２９３ＥＢＮＡ細胞）。
【請求項１１】
関心のある遺伝子を含む複製欠損アデノウイルスの製造方法であって、
ａ．プロデューサー細胞内に多欠失アデノウイルス発現ベクターを導入すること［ここで、前記プロデューサー細胞は、
ｉ．ＥＢＶ由来ＥＢＮＡタンパク質、
ｉｉ．Ｔｅｔ転写サイレンサー、
ｉｉｉ．Ｔｅｔ逆トランスアクチベーター、
ｉｖ．アデノウイルスアンプリコン｛前記アデノウイルスアンプリコンは、ＥＢＶ由来ｏｒｉ−Ｐ、アデノウイルスＩＴＲ結合部、ならびに第２転写単位（第２転写単位はＡｄ５  Ｅ４  ＯＲＦ６およびＤＮＡ結合タンパク質をコードする核酸配列からなる）と組合された第１転写単位（第１転写単位はＡｄ５  Ｅ２由来ポリメラーゼおよびプレ末端タンパク質をコードする核酸配列からなる）からなり、第１転写単位および第２転写単位は二方向性テトラサイクリン依存性プロモーターに融合している｝を発現する］；
ｂ．Ｅ２およびＥ４ＯＲＦ６コード配列の発現を誘導すること；および
ｃ．産生された複製欠損アデノウイルスを回収すること、
を含んでなる、前記製造方法。
【請求項１２】
前記プロデューサー細胞系が、アデノウイルスＥ１タンパク質、ＥＢＮＡ１および転写調節系を発現するヒト細胞系である、請求項１１記載の製造方法。
【請求項１３】
前記プロデューサー細胞が、ｔＴｓｋｉｄとｒＥＴＡ２とを発現する２９３ＥＢＮＡ細胞である、請求項１２記載の製造方法。
【請求項１４】
多欠失アデノウイルスベクターがアデノウイルスＥ１、Ｅ２、Ｅ３およびＥ４遺伝子を欠く、請求項１３記載の製造方法。
【請求項１５】
多欠失アデノウイルスベクターがヒトＡｄ５バックボーンからなる、請求項１４記載の製造方法。
【請求項１６】
Ｅ２およびＥ４ＯＲＦ６コード配列の発現が、前記プロデューサー細胞をドキシサイクリンと接触させることにより誘導される、請求項１１記載の製造方法。
【請求項１７】
ＥＢＮＡ１、Ｔｅｔ転写サイレンサーおよびＴｅｔ逆トランスアクチベーターを発現する哺乳類細胞内に請求項４記載のアデノウイルスアンプリコンを導入し、Ｅ２およびＥ４ＯＲＦ６コード配列の発現を誘導し、産生された複製欠損アデノウイルスを回収することを含んでなる、複製欠損アデノウイルス粒子の製造方法。
【請求項１８】
前記プロデューサー細胞系が、ｔＴＳｋｉｄとｒｔＴＡ２とを発現する２９３ＥＢＮＡ細胞である、請求項１７記載の製造方法。
【請求項１９】
Ｅ２およびＥ４ＯＲＦ６コード配列の発現が、前記パッケージング細胞をドキシサイクリンと接触させることにより誘導される、請求項１７記載の製造方法。
【請求項２０】
請求項１７記載の製造方法により回収され精製された、組換え複製欠損アデノウイルス粒子。
【手続補正２】
【補正対象書類名】明細書
【補正対象項目名】００１４
【補正方法】変更
【補正の内容】
【００１４】
本発明の第２の態様は、本発明のアデノウイルスアンプリコンを含んでなるプロデューサー／ヘルパー細胞系を提供する。より詳しくは、本発明は、（ａ）Ａｄ５  Ｅ１タンパク質、（ｂ）ＥＢＶ由来ＥＢＮＡタンパク質、（ｃ）Ｔｅｔ転写サイレンサー、（ｄ）Ｔｅｔ逆トランスアクチベーター、（ｅ）アデノウイルスアンプリコン［該アデノウイルスアンプリコンは、ＥＢＶ由来ＯｒｉＰ、アデノウイルスＩＴＲ結合部、ならびに第２転写単位（第２転写単位はＡｄ５ＤＮＡ結合タンパク質およびＥ４  ＯＲＦ６をコードする核酸配列よりなる。）と組合された第１転写単位（第１転写単位はＡｄ５由来ポリメラーゼおよびプレ末端タンパク質をコードする核酸配列よりなる。）からなり、第１転写単位および第２転写単位は二方向性テトラサイクリン依存性プロモーターに融合している。］、ならびに（ｆ）選択マーカーを発現するアデノウイルスパッケージング細胞系を提供する。
【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
複数箇所の映写場及びその基幹となるコンテンツ管理サーバを有する多スクリーン型ディジタル上映環境にて、そのコンテンツ管理サーバに符号化状態で配信済のディジタルコンテンツを上映するディジタル映画システムであって、
（ａ）それぞれ何れかの映写場に設けられ、自機のデコーダにより機種依存信号に復号したディジタルコンテンツを映写する複数台のディジタル映写機、並びにそれらディジタル映写機のうち少なくとも１台と同じ映写場に設けられ、フィルムに記録されている映像を同じ映写場にあるディジタル映写機が稼働しない予備時間中に映写する少なくとも１台のフィルム式映写機と、
（ｂ）それぞれ対応するディジタル映写機に専用される複数個のコンテンツプレイヤサーバと、
（ｃ）コンテンツ管理サーバ上にある個々のディジタルコンテンツを表す項目からなるプレイリスト単位で且つ上記フィルム映写との兼ね合いで、現環境における今後のディジタル演目映写スケジュールを設定するシネマオペレーティングシステムと、
（ｄ）各ディジタル映写機がネットワーク経由で任意のコンテンツプレイヤサーバと通信し選択されたプレイリストに掲げられているディジタルコンテンツを映写することができるよう、各コンテンツプレイヤサーバをコンテンツ管理サーバ及び各ディジタル映写機にリンクさせるローカルエリアネットワークと、
（ｅ）所定の条件が成立したときにディジタルコンテンツの映写とフィルムによる映写を切り替えさせ又はディジタルコンテンツの映写とフィルムによる映写を切り替えさせるために合図するイベントタグと、
を備えるディジタル映画システム。
【請求項２】
多スクリーン型上映環境内サーバに配信済の個々のディジタルコンテンツを表す項目からなるプレイリスト単位で且つグラフィカルユーザインタフェースを利用して、現環境における今後のディジタル演目映写スケジュールを設定するためのコンピュータプログラム製品であって、コンピュータ可読記録媒体に格納されたコンピュータプログラムとして提供され、そのコンピュータプログラムを実行することにより、
（ａ）現在スケジュール設定可能なプレイリストの表を生成し、各プレイリストに基づく映写に要する時間と共に表示するステップと、
（ｂ）現環境におけるスクリーン別映写スケジュール概況を一覧できるよう、対応するスクリーンにおける映写スケジュールを時間幅で表す細長い時程バーをスクリーン複数個分隣り合わせに且つその時間軸を揃えて並べた時程表を、生成して表示するステップと、
（ｃ）何れかのプレイリストをプレイリストの表から選択させ、更にそのプレイリストに基づく映写の開始時刻及び映写先スクリーンを指定させるステップと、
（ｄ）指定された開始時刻に始まりその映写所要時間に相当する時間幅を占めるよう、選択されたプレイリストを表す細長い要素を指定されたスクリーンに係る時程バーに挿入して時程表を更新することにより、そのスクリーンでそのプレイリストに基づき映写を行うスケジュールを設定するステップと、
（ｅ）所定の条件が成立し又は所定の合図が発せられたときディジタルコンテンツの映写とフィルムによる映写とを切り替えるステップと、
を有する手順が、実行されるコンピュータプログラム製品。
【請求項３】
多スクリーン型上映環境内サーバに配信済の個々のディジタルコンテンツを表す項目からなるプレイリストを生成し、プレイリスト単位で現環境における今後のディジタル演目映写スケジュールを設定する方法であって、
（ａ）１箇所又は複数箇所ありフィルム映写が可能なフィルム対応映写場用に、ディジタルコンテンツを指す項目からなるプレイリストを生成するステップと、
（ｂ）対応する映写場における映写スケジュールをそれぞれ時間的な幅のある細長い時程バーで表し、更にフィルム対応映写場に係る時程バーにはフィルム映写が可能な予備時間が設定されている時程表を、生成して表示するステップと、
（ｃ）何れかのプレイリスト及び何れかのフィルム対応映写場を指定させるステップと、
（ｄ）指定されたプレイリストを表す細長いブロックを、予備時間の開始時刻を基準にそのブロックの始点位置を自動配置させつつ、指定されたフィルム対応映写場に係る時程バーに挿入して時程表を更新するステップと、
（ｅ）所定の条件が成立したとき又は所定の合図が発せられたときディジタルコンテンツの映写とフィルムによる映写とを切り替えるステップと、
を有する方法。
【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
複数の列に配列された多数のセンサ素子と、
複数のバス・ラインと、
複数のシステム・チャンネルと、
様々なバス・ラインを様々なシステム・チャンネルに選択的に接続するための多数のマルチプレクサ・スイッチと、
第１の列内の第１組のセンサ素子を前記複数のバス・ラインの内の第１のバス・ラインに選択的に接続するための第１組のアクセス・スイッチであって、当該第１組のアクセス・スイッチの内の各アクセス・スイッチが前記第１組のセンサ素子の内のそれぞれのセンサ素子の下に配置され、また当該第１組のアクセス・スイッチの内の第１のアクセス・スイッチが、前記第１組のセンサ素子の一員である第１のセンサ素子に接続されている、第１組のアクセス・スイッチと、
多数組のマトリクス・スイッチであって、当該多数組のマトリクス・スイッチの各々が、前記多数のセンサ素子の内のそれぞれのセンサ素子をそれぞれの一組の隣接のセンサ素子に選択的に接続し、また当該多数組のマトリクス・スイッチの内の第１のマトリクス・スイッチが、前記第１のセンサ素子に接続され、且つ前記第１組のセンサ素子の一員ではない第２のセンサ素子に接続されている、多数組のマトリクス・スイッチと、
前記第１のセンサ素子が、前記第１のバス・ラインに接続される前記多数のマルチプレクサ・スイッチの内の第１のマルチプレクサ・スイッチを介して、また前記第１のバス・ラインを介して、また前記第１のアクセス・スイッチを介して、第１のシステム・チャンネルに接続されると共に、同時に前記第２のセンサ素子が前記第１のマトリクス・スイッチを介して前記第１のアクセス・スイッチに接続されるように、選択されたスイッチング構成に従って前記マルチプレクサ・スイッチ、前記アクセス・スイッチ及び前記マトリクス・スイッチを制御する制御回路と、
を有する装置。
【請求項２】
前記装置は更に、前記第１の列内の第２組のセンサ素子を前記複数のバス・ラインの内の第２のバス・ラインに選択的に接続するための第２組のアクセス・スイッチを含んでおり、前記第２組のアクセス・スイッチの内の各アクセス・スイッチが前記第２組のセンサ素子の内のそれぞれのセンサ素子の下に配置され、また前記第２組のアクセス・スイッチの内の第２のアクセス・スイッチが前記第２組のセンサ素子の一員である第３のセンサ素子に接続され且つ該第３のセンサ素子の下に配置されており、また前記多数組のマトリクス・スイッチの内の第２のマトリクス・スイッチが、前記第３のセンサ素子に接続され、且つ前記第２組のセンサ素子の一員ではない第４のセンサ素子に接続されており、ここで、前記制御回路は、前記第３のセンサ素子が、前記第２のバス・ラインに接続される前記多数のマルチプレクサ・スイッチの内の第２のマルチプレクサ・スイッチを介して、また前記第２のバス・ラインを介して、また前記第２のアクセス・スイッチを介して、第２のシステム・チャンネルに接続されると共に、同時に前記第４のセンサ素子が前記第２のマトリクス・スイッチを介して前記第２のアクセス・スイッチに接続されるように、前記選択されたスイッチング構成に従って前記マルチプレクサ・スイッチ、前記アクセス・スイッチ及び前記マトリクス・スイッチを制御する、請求項１記載の装置。
【請求項３】
前記装置は更に、前記第１の列内の第２組のセンサ素子を前記第１のバス・ラインに選択的に接続するための第２組のアクセス・スイッチを含んでおり、前記第２組のアクセス・スイッチの内の各アクセス・スイッチが前記第２組のセンサ素子の内のそれぞれのセンサ素子の下に配置され、また前記第２組のアクセス・スイッチの内の第２のアクセス・スイッチが前記第２組のセンサ素子の一員である第３のセンサ素子に接続され且つ該第３のセンサ素子の下に配置されており、また前記多数組のマトリクス・スイッチの内の第２のマトリクス・スイッチが、前記第３のセンサ素子に接続され、且つ前記第２組のセンサ素子の一員ではない第４のセンサ素子に接続されており、ここで、前記制御回路は、前記第３のセンサ素子が、前記第１のバス・ラインに接続される前記多数のマルチプレクサ・スイッチの内の第２のマルチプレクサ・スイッチを介して、また前記第１のバス・ラインを介して、また前記第２のアクセス・スイッチを介して、前記第１のシステム・チャンネルに接続されると共に、同時に前記第４のセンサ素子が前記第２のマトリクス・スイッチを介して前記第２のアクセス・スイッチに接続されるように、前記選択されたスイッチング構成に従って前記マルチプレクサ・スイッチ、前記アクセス・スイッチ及び前記マトリクス・スイッチを制御する、請求項１記載の装置。
【請求項４】
前記センサ素子の各々はそれぞれの多数の微小加工超音波トランスデューサ（ＭＵＴ）セルを有し、各ＭＵＴセルは頂部電極及び底部電極を含んでおり、この場合、任意の特定の部分素子を形成する一群のＭＵＴセルの頂部電極が一緒に接続されていて、互いからオン・オフ式に切断可能ではなく、また同じ一群のＭＵＴセルの底部電極が一緒に接続されていて、互いからオン・オフ式に切断可能ではない、請求項１記載の装置。
【請求項５】
前記装置は半導体基板を含み、前記アクセス・スイッチ及び前記マトリクス・スイッチが前記半導体基板内又は上に製造されており、また前記センサ素子が前記半導体基板内又は上に製造されている、請求項１記載の装置。
【請求項６】
前記装置は一緒に積層状に形成された第１及び第２の半導体基板を含み、前記アクセス・スイッチ及び前記マトリクス・スイッチが前記第１の半導体基板内又は上に製造されており、また前記センサ素子が前記第２の半導体基板内又は上に製造されている、請求項１記載の装置。
【請求項７】
前記制御回路は、送信時の開口が受信時の開口とは異なるように前記スイッチを制御する、請求項１記載の装置。
【請求項８】
前記制御回路は、オンに切り換えられた前記センサ素子が大体環状のリングを形成するように前記スイッチを制御する、請求項１記載の装置。
【請求項９】
前記第１組及び第２組の前記アクセス・スイッチは、所与の数のバス・ラインについて必要とされるアクセス・スイッチの数を減らすために食い違い配置にされている、請求項２記載の装置。
【請求項１０】
前記第１の列内の各センサ素子はそれに関連した唯一つのそれぞれのアクセス・スイッチを持ち、前記アクセス・スイッチの各々が、前記第１の列のセンサ素子に関連した一組のバス・ラインの内の唯一つのそれぞれのバス・ラインに接続されている、請求項２記載の装置。
【手続補正書】
【提出日】平成20年11月1日(2008.11.1)
【手続補正１】
【補正対象書類名】特許請求の範囲
【補正対象項目名】全文
【補正方法】変更
【補正の内容】
【特許請求の範囲】
【請求項１】
生理学的又は臨床的な関連データを感知する能動的感知材料として作用する材料製の基板、それぞれ能動的感知材料として作用するように編成された前記基板の一部分を含み且つ生理学的又は臨床的な関連データを感知する少なくとも１つのセンサー、及び前記少なくとも１つのセンサーに結合され且つ前記少なくとも１つのセンサーが感知したパラメータに関するデータを遠隔デバイスへ遠隔伝送する遠隔計測通信手段を備えてなる生体埋込み用医療デバイス。
【請求項２】
請求項１のデバイスにおいて、前記遠隔計測通信手段に少なくとも１つのアンテナを含めてなる生体埋込み用医療デバイス。
【請求項３】
請求項１又は２のデバイスにおいて、前記遠隔計測通信手段を少なくとも部分的に前記基板上に配設してなる生体埋込み用医療デバイス。
【請求項４】
請求項２に従属する請求項３のデバイスにおいて、前記アンテナを少なくとも部分的に前記基板上に配設してなる生体埋込み用医療デバイス。
【請求項５】
請求項２のデバイスにおいて、前記アンテナが形成された付加的基板を設け、その付加的基板を前記能動的感知材料として作用する材料製の基板に接触させてなる生体埋込み用医療デバイス。
【請求項６】
請求項１から５の何れかのデバイスにおいて、前記基板を実質的平面形状又は実質的平面から折り曲げた形状としてなる生体埋込み用医療デバイス。
【請求項７】
請求項１から６の何れかのデバイスにおいて、前記基板の少なくとも片側面上に接地面を設けてなる生体埋込み用医療デバイス。
【請求項８】
請求項２に従属する請求項７のデバイスにおいて、前記基板の表側面上に少なくとも１つのセンサーを設け，前記基板の裏側面上に接地面を設け、その接地面を、前記少なくとも１つのアンテナにより定まる面積と対応する領域より広い領域又は前記少なくとも１つのアンテナと少なくとも１つのセンサーとにより定まる面積と対応する領域に延在させてなる生体埋込み用医療デバイス。
【請求項９】
請求項１から８の何れかのデバイスにおいて、前記少なくとも１つのセンサーをピエゾ電気センサーとしてなる生体埋込み用医療デバイス。
【請求項１０】
請求項９のデバイスにおいて、前記基板を能動的ピエゾ電気センサー材料として作用するポリマー材料製としてなる生体埋込み用医療デバイス。
【請求項１１】
請求項１０のデバイスにおいて、前記ポリマー材料をポリフッ化ビニリデン（ＰＶＤＦ）としてなる生体埋込み用医療デバイス。
【請求項１２】
請求項１から１１の何れかのデバイスにおいて、前記遠隔計測通信手段を受動的デバイス又は遠隔デバイスから伝送されたエネルギーにより駆動される受動的デバイスとしてなる生体埋込み用医療デバイス。
【請求項１３】
請求項１から１２の何れかのデバイスにおいて、前記遠隔計測通信手段にＲＦＩＤデバイスを含めてなる生体埋込み用医療デバイス。
【請求項１４】
請求項１から１３の何れかのデバイスにおいて、前記遠隔計測通信手段に集積回路を含めてなる生体埋込み用医療デバイス。
【請求項１５】
請求項１４のデバイスにおいて、前記集積回路を前記基板上に配設してなる生体埋込み用医療デバイス。
【請求項１６】
請求項１から１５の何れかのデバイスにおいて、患者の心臓内に埋め込まれ、且つ、ｉ）その中で心臓弁として作動するか、又は、ｉｉ）患者の複数の心臓弁の１つの機能を補助するか、又は、ｉｉｉ）患者の複数の心臓弁の１つの機能を監視するように適合された生体埋込み用医療デバイス。
【請求項１７】
対向する第１面と第２面とを有する単一の基板又はその基板を複数枚重ねた基板スタック、前記基板又は基板スタック上に配設されて生理学的又は臨床的な関連データを感知する少なくとも１つのセンサー、前記基板又は基板スタックの第１面上に配設された少なくとも１つのアンテナを含み且つ前記少なくとも１つのセンサーで感知されたパラメータの関連データを遠隔デバイスへ遠隔計測的に伝送するように前記少なくとも１つのセンサーに結合された遠隔計測通信手段、及び前記基板又は基板スタックの第２面上に配設され且つ前記少なくとも１つのアンテナにより定まる面積と対応する領域より広い領域に延在する接地面を備えてなる生体埋込み用医療デバイス。
【請求項１８】
請求項１７による医療デバイスと、前記遠隔計測通信手段から遠隔計測的に伝送されたデータを受信する遠隔デバイスとを備えてなり、その遠隔デバイスに、少なくとも１つのデータ受信アンテナと、その少なくとも１つのデータ受信アンテナにより定まる面積と対応する領域より広い領域に延在する接地面とを含め、前記医療デバイスから遠隔計測的に伝送されるデータの受信を改良した患者監視システム。
【請求項１９】
能動的感知材料として作用する材料と、その材料上に形成されたアンテナパターンの電極とを備えてなり、ｉ）前記材料を能動的感知材料として作用させると共に、ｉｉ）前記電極を前記能動的感知材料の作用に関連する信号の伝送及び／又は受信用アンテナとして作用させてなるセンサー。
【請求項２０】
請求項１９のセンサーにおいて、前記電極を、隣接部分の間に５０μｍ以下、２５μｍ以下、又は約１０μｍの間隙が１以上残されたアンテナパターンとしてなるセンサー。
【請求項２１】
請求項１９又は２０のセンサーにおいて、前記センサーを生体内への埋込みに適した医療デバイスとし、前記センサーにより生理学的又は臨床的な関連パラメータを感知し、前記電極によりセンサーの検出したパラメータに関連するデータを遠隔デバイスへ遠隔計測的に伝送してなるセンサー。
【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
ａ）心電図信号収集モジュール、
ｂ）登録されたシグニチャデータベース、
ｃ）上記心電図信号収集モジュールにより収集された心電図信号から、個人のグループの共通心電図特性を表す特性波形を除く心電図シグニチャ生成器を含む心電図信号プロセッサ、及び、
ｄ）心電図シグニチャを少なくとも１つの登録された心電図シグニチャと比較する心電図シグニチャ比較器、及び、
ｅ）出力モジュール
を含むバイオメトリック識別システム。
【請求項２】
上記心電図シグニチャ生成器は、上記グループの心電図信号の主成分解析から導出される第１の主成分を表す特性波形を除くことを特徴とする請求項１に記載のシステム。
【請求項３】
上記特性波形は、心電図信号収集モジュールにより収集される心電図信号内に存在する特性波形の範囲を近似するように加重されることを特徴とする請求項２に記載のシステム。
【請求項４】
上記心電図シグニチャ生成器が、心電図信号収集モジュールにより収集された心電図信号から上記近似値を除くことを特徴とする請求項３に記載のシステム。
【請求項５】
上記心電図信号収集モジュールが、上記個人のグループのメンバでない個人から心電図信号を収集することを特徴とする請求項２に記載のシステム。
【請求項６】
上記特性波形が、総合的心電図から導出されることを特徴とする請求項１乃至３のうちのいずれか一に記載のシステム。
【請求項７】
上記心電図シグニチャ生成器が、上記グループの心電図信号の独立成分分析（ＩＣＡ）から導出される特性波形を除くことを特徴とする請求項１に記載のシステム。
【請求項８】
上記心電図シグニチャ生成器が、上記グループの心電図信号のウエーブレット分解（ＷＤ）から導出される特性波形を除くことを特徴とする請求項１に記載のシステム。
【請求項９】
上記特性波形を加重する再構成係数を利用することを特徴とする請求項３に記載のシステム。
【請求項１０】
上記心電図収集モジュールが、ユーザからの意識的応答を要求しない生物学的チャレンジレスポンスメカニズムのために備わる双方向インターフェースを含むことを特徴とする請求項１乃至３のうちのいずれか一に記載のシステム。
【請求項１１】
上記双方向インターフェースが伝導媒質を含むことを特徴とする請求項１０に記載のシステム。
【請求項１２】
上記伝導媒質がアパレルアイテムの中に総合されていることを特徴とする請求項１１に記載のシステム。
【請求項１３】
ａ）患者の心電図を収集するステップ、
ｂ）個人のグループからの心電図を分解し該グループの共通特性を表す特性波形のセットを決定するステップ、
ｃ）上記特性波形を除くことによって、上記患者の心電図を処理するステップ、及び、
ｄ）患者の処理された心電図を利用して該患者を識別するステップ
を含む個人を識別する方法。
【請求項１４】
上記患者が上記個人のグループのメンバでないことを特徴とする請求項１３に記載の方法。
【請求項１５】
上記分解された心電図が総合的であることを特徴とする請求項１３に記載の方法。
【請求項１６】
上記ステップがリストされた順序で実施されることを特徴とする請求項１３に記載の方法。
【請求項１７】
上記特性波形を加重し患者の心電図信内に存在する共通特性の範囲を近似するステップを更に含むことを特徴とする請求項１３に記載の方法。
【請求項１８】
上記特性波形を除くステップが、上記近似を除くことにより完遂されることを特徴とする請求項１７に記載の方法。
【請求項１９】
上記分解するステップが、主成分解析を個人のグループからの心電図に適用することにより為され、上記加重するステップが、患者の心電図内に存在する上記共通特性の範囲を近似するように共通特性を表す主成分に対する再構成係数を決定することにより為されることを特徴とする請求項１７に記載の方法。
【請求項２０】
上記近似が患者の心電図から除かれることを特徴とする請求項１９に記載の方法。
【請求項２１】
共通特性を表す主成分がタイムシフトされて上記再構成係数を決定することを特徴とする請求項１９に記載の方法。
【請求項２２】
上記分解するステップが独立成分分析（ＩＣＡ）であることを特徴とする請求項１３に記載の方法。
【請求項２３】
上記分解するステップがウエーブレット分解（ＷＤ）であることを特徴とする請求項１３に記載の方法。
【請求項２４】
患者の意識的応答を要求しないように患者を喚起するステップを更に含む請求項１３乃至１６のうちのいずれか一に記載の方法。
【請求項２５】
上記喚起するステップが、患者の心電図を収集するのに利用される伝導媒質を介して電気的刺激を与えるステップを含むことを特徴とする請求項２４に記載の方法。
【請求項２６】
ａ）心電図信号を収集するステップ、
ｂ）上記心電図信号を処理して心電図シグニチャを生成するステップ、
ｃ）上記心電図シグニチャを複数の総合的心電図シグニチャと相関させるステップ、
ｄ）上記相関の一つ又は複数を変換するステップ、
ｅ）上記相関のための動的閾値を生成するステップ、及び、
ｆ）識別結果を出力するステップ
を含むバイオメトリック識別の方法。
【請求項２７】
上記ステップがリストされた順序で実施されることを特徴とする請求項２６に記載の方法。
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
組織を通って延在する穿刺をシーリングする装置において：
近位端と、前記穿刺を通って挿入するサイズの遠位端と、前記近位端と遠位端の間に延在するルーメンと、前記ルーメンに連通する遠位側開口とを具える筒状部材と；
前記ルーメン内に配置された、ヒドロゲルを具える生体吸収性プラグと；
前記ルーメン内の前記プラグ近位側に配置した生体吸収性アンカ素子と；及び
前記ルーメンを通って、前記筒状部材の遠位側開口の外へ前記プラグとアンカ素子とを展開させる、前記筒状部材のルーメン内を摺動可能な押出し部材と；
を具えることを特徴とする装置。
【請求項２】
請求項１に記載の装置において、前記プラグは、当該プラグの近位及び遠位端間に延在するルーメンを具え、前記装置が更に、その遠位端に拡張可能な素子を有し、前記筒状部材のルーメンと前記プラグのルーメンを通るサイズの細長位置決め部材を具えることを特徴とする装置。
【請求項３】
請求項２に記載の装置において、前記押出し部材とアンカ素子のうちの一方が、その中を通る前記位置決め部材を受けるルーメンを具えることを特徴とする装置。
【請求項４】
請求項１に記載の装置において、前記プラグが、コアと、前記コアの外側の少なくとも一部に配置した第１及び第２の前駆体を具え、前記第１及び第２の前駆体が前記組織内の水性生理学的環境に露出する前は未反応状態で保持されており、水性生理学的環境に晒されると、前記第１及び第２の前駆体が反応して、前記コアの上に接着性被覆を形成することを特徴とする装置。
【請求項５】
請求項４に記載の装置が更に、前記コアの前記外側の少なくとも一部に配置された活性化剤を具え、この活性化剤が、水性生理学的環境に晒されたときに前記第１及び第２の前駆体の反応を容易にする、あるいは開始することを特徴とする装置。
【請求項６】
請求項５に記載の装置において、前記第１及び第２の前駆体が、ヒドロゲル前駆体を具え、前記活性化剤が、前記水性生理学的環境のｐＨを変えて、前記第１及び第２のヒドロゲル前駆体の反応を開始するｐＨ活性化剤を具えることを特徴とする装置。
【請求項７】
請求項６に記載の装置において、前記ｐＨ活性化剤が、前記コアの前記外側表面の上に複数の粒子を具えることを特徴とする装置。
【請求項８】
請求項１に記載の装置において、前記プラグが凍結乾燥したヒドロゲルを具えることを特徴とする装置。
【請求項９】
請求項１に記載の装置において、前記プラグがプロトロンビン材料を具えることを特徴とする装置。
【請求項１０】
請求項１に記載の装置において、前記プラグが一又はそれ以上の凍結乾燥したヒドロゲル層と、水性生理学的環境に露出させることによって活性化する接着材料とを具えるラミネート構造を具えることを特徴とする装置。
【請求項１１】
請求項１に記載の装置において、前記プラグがディスク形状、固相円柱形状、ロールシート円柱形状を有する細長部材を具えることを特徴とする装置。
【請求項１２】
請求項１に記載の装置において、前記プラグが、近位端と遠位端を具え、前記プラグの組成が、水性生理学的環境に晒されたときに、前記遠位端が前記近位端より、より迅速に拡張するように前記近位及び遠位端の間で変化していることを特徴とする装置。
【請求項１３】
請求項１に記載の装置において、前記プラグが近位端と遠位端を具え、前記プラグの組成が、前記プラグが水性生理学的環境に晒されたときに、前記遠位端が前記近位端より、より大きなサイズに拡張するように前記近位及び遠位端の間で変化していることを特徴とする装置。
【請求項１４】
請求項１３に記載の装置において、前記プラグが水性生理学的環境に晒されたときに、実質的にフラストコニカル形状に拡張することを特徴とする装置。
【請求項１５】
請求項１に記載の装置において、前記プラグが、近位端と遠位端を具える細長形状に折りたたまれたあるいは巻かれた材料でできた一又はそれ以上のシートを具えることを特徴とする装置。
【請求項１６】
請求項１５に記載の装置において、前記一又はそれ以上のシートのうちの少なくとも一方のシートが、前記一又はそれ以上のシートが細長形状に折りたたまれた又は巻かれた後に、前記近位端に相当する第１のエッジと、前記遠位端に相当する第２のエッジとの間で厚さが変化していることを特徴とする装置。
【請求項１７】
請求項１６に記載の装置において、前記少なくとも一のシートの厚さが、前記第１のエッジにおいて、前記第２のエッジより薄いことを特徴とする装置。
【請求項１８】
請求項１５に記載の装置において、前記プラグの密度が前記遠位端において前記近位端より高いことを特徴とする装置。
【請求項１９】
請求項１８に記載の装置において、前記一又はそれ以上のシートのうちの少なくとも一のシートが、前記細長形状に折りたたまれる又は巻かれる前に圧縮されており、前記近位端より前記遠位端において密度が高いことを特徴とする装置。
【請求項２０】
請求項１に記載の装置において、前記アンカ素子が、前記アンカ素子を穿刺内の周辺組織へ固定するために一又はそれ以上の突出部を具えることを特徴とする装置。
【請求項２１】
請求項１に記載の装置において、前記アンカ素子が実質的に硬質のヒドロゲル本体を具えることを特徴とする装置。
【請求項２２】
請求項２１に記載の装置において、前記アンカ素子が実質的に非多孔性ヒドロゲルを具えることを特徴とする装置。
【請求項２３】
請求項２３に記載の装置において、前記アンカ素子が気乾ヒドロゲルを具えることを特徴とする装置。
【請求項２４】
請求項１に記載の装置において、前記プラグとアンカ素子の各々が、水性生理学的環境に晒されたときに水和する材料を具え、前記プラグが、前記アンカ素子より、より迅速に水和することを特徴とする装置。
【請求項２５】
組織を通って延在し身体ルーメンに連通する穿刺をシーリングする装置において：
近位端と、穿刺の中に導入するサイズの遠位端と、穿刺を通って身体ルーメンに導入し得る緊縮状態と位置決め素子が当該身体ルーメンから移動するのを防ぐ拡大状態との間で動くことが可能な前記遠位端の位置決め素子と、を具える細長位置決め部材と；
近位端と、穿刺を通って挿入するサイズの遠位端と、前記近位端と前記遠位端の間に延在し、その中を通る前記位置決め部材を摺動可能に受けて筒状部材が前記位置決め部材の上を進むことのできるルーメンと、を具える筒状部材と；
前記筒状部材の前記ルーメン内の前記遠位端の近くに配置された生体吸収性プラグと；
前記筒状部材の前記ルーメン内の前記プラグ近位側に配置された生体吸収性アンカ素子と；
前記筒状部材の遠位端の外へ前記プラグと前記アンカ素子とを展開させる、前記筒状部材のルーメン内の押出し部材と；
を具えており、
前記押出し部材、アンカ素子、及びプラグが、その中を通る前記位置決め部材を摺動可能に受けるためのルーメンを具えており、前記筒状部材が前記位置決め部材の上を進む場合に、前記押出し部材、アンカ素子、及びプラグが、前記位置決め部材の上を進むことが可能で、穿刺内に前記プラグ及びアンカ素子を送出した後に、前記位置決め部材が前記緊縮状態で前記位置決め部材を穿刺から除去し得ることを特徴とする装置。
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
創傷床を覆うための真空創傷包帯であって、
傷からの浸出液によって湿った時に凝集性ゲルを形成する、繊維状混合物又は繊維状材料を、含む創傷接触層と、
創傷接触層によって創傷床から分離されて配置されている真空供給源と、
創傷接触層を覆い、且つ、創傷接触層に相対的な真空を保持するようになっている、真空密閉層と、を備えており、
（i）包帯が、真空供給源が配置されている非ゲル化発泡体層を基本的に有していない、又は、
（ii）真空密閉層が、外側層として発泡体層を備えていることを特徴とする、真空創傷包帯。
【請求項２】
創傷床に注水流体を供給するために配置されている注水流体の供給源を、更に備えている、請求項１記載の真空創傷包帯。
【請求項３】
（i）包帯が、真空供給源が配置されている非ゲル化発泡体層を基本的に有していない、請求項１記載の真空創傷包帯。
【請求項４】
創傷床に注水流体を供給するために配置されている注水流体の供給源を、更に備えている、請求項３記載の真空創傷包帯。
【請求項５】
（ii）真空密閉層が、外側層として発泡体層を備えている、請求項１記載の真空創傷包帯。
【請求項６】
創傷床に注水流体を供給するために配置されている注水流体の供給源を、更に備えている、請求項５記載の真空創傷包帯。
【請求項７】
真空創傷治療モジュールであって、
流体容器と、
注水容器に流体接続されており、且つ、流体を流体容器からポンプで汲み出すようになっている、ポンプモジュールと、
ポンプモジュールに流体接続されており、且つ、真空出口及び流体出口を有する、ベンチュリー真空取り付け部と、
流体出口から流体容器への流体接続部と、
真空出口に流体接続されているトラップ容器と、
第２流体接続部と、を備えており、
第２流体接続部が、（ａ）又は（ｂ）に記載の一方であり、
（ａ）トラップ容器に流体接続されており、且つ、
（i）真空を提供し且つ傷からの浸出液の除去を可能とするために、創傷包帯を取り付けられるようになっており、又は、（ii）創傷包帯が使用されるときに、創傷包帯が真空を提供し且つ傷からの浸出液の除去を可能とするように、そのような創傷包帯に取り付けられており、及び、
（ｂ）トラップ容器に流体接続されるようになっており、創傷包帯が使用されるときに、創傷包帯が真空を提供し且つ傷からの浸出液の除去を可能とするように、そのような創傷包帯に取り付けられていることを特徴とする、真空創傷治療モジュール。
【請求項８】
第２流体接続部が、（ａ）に記載のものである、請求項７記載の真空創傷治療モジュール。
【請求項９】
第２流体接続部が、（ｂ）に記載のものである、請求項７記載の真空創傷治療モジュール。
【請求項１０】
第１流体接続部に配置された切換弁と、第３流体接続部と、を更に備えており、
弁が、（i）流体出口及び流体容器から流体を案内する位置と、（ii）流体出口及び流体容器からの流体の主流部分と、支流部分とを、第３流体接続部へ案内する位置と、の間で作動し、
第３流体接続部が、（Ａ）及び（Ｂ）に記載の一方であり、
（Ａ）切換弁に流体接続されており、且つ、
（i）創傷に流体を提供するために、創傷包帯を取り付けられるようになっており、又は、（ii）創傷包帯が使用されるときに、創傷包帯がその流体を提供するように、そのような創傷包帯に取り付けられており、及び、
（Ｂ）切換弁に流体接続されるようになっており、且つ、創傷包帯が使用されるときに、創傷包帯がその流体を提供するように、そのような創傷包帯に取り付けられている、請求項７記載の真空創傷治療モジュール。
【請求項１１】
第３流体接続部が、（Ａ）に記載のものである、請求項１０記載の真空創傷治療モジュール。
【請求項１２】
第３流体接続部が、（Ｂ）に記載のものである、請求項１０記載の真空創傷治療モジュール。
【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
以下の段階を含む、哺乳動物の損傷を受けた心臓または罹病した心臓の機能を高めることに適した細胞集団を調製する方法：
心臓組織を得る段階
該心臓組織を断片化して組織断片を得る段階
該組織断片を洗浄する段階
該組織断片を酵素により部分消化し、消化した組織を生成する段階
該消化した組織をフィブロネクチンを含む表面上で培養し、球形の明位相差像の細胞が遊走する、間質様細胞の層を生成する段階
球形の明位相差像の細胞を単離する段階
該明位相差像の細胞をプレートに蒔き、多細胞集団であるカーディオスフェアを生成する段階
フィブロネクチンを含む物質上でカーディオスフェアを培養する段階であって、該カーディオスフェアは成長してカーディオスフェア由来細胞（CDC）の粘着単層を形成する段階、および
CDCを単離する段階であって、該選択されたCDCは哺乳動物の損傷を受けた心臓または罹病した心臓の機能を高めることに適している、段階。
【請求項２】
前記消化した組織が、EGFおよびbFGF、カーディオトロフィン-1、ならびにトロンビンの非存在下で培養される、請求項1記載の方法。
【請求項３】
前記組織断片をコラゲナーゼに供する段階をさらに含む、前記請求項いずれか一項記載の方法。
【請求項４】
明位相差像の細胞、カーディオスフェア、またはCDCを、以下の一つまたは複数からなる群より選択されるタンパク質をコードする配列を含む発現構築物とともにトランスフェクションされる段階をさらに含む、前記請求項のいずれか一項記載の方法：
akt、コネキシン43、その他のコネキシン、HIF1α、VEGF、FGF、PDGF、IGF、SCF、ミオカルディン、カルディオトロピン、L型カルシウムチャネルαサブユニット、L型カルシウムチャネルβサブユニット、およびNkx2.5。
【請求項５】
CD105またはc-Kitの少なくとも一つを発現するCDCの部分を選択する段階を更に含み、CD105およびc-Kitは幹細胞抗原である、前記請求項のいずれか一項記載の方法。
【請求項６】
心臓組織を、心臓内の分界稜から得る、前記請求項のいずれか一項記載の方法。
【請求項７】
心臓組織を、心臓内の右心室心内膜から得る、前記請求項のいずれか一項記載の方法。
【請求項８】
心臓組織を、中隔または心室壁から得る、前記請求項のいずれか一項記載の方法。
【請求項９】
心臓組織を、心耳から得る、前記請求項のいずれか一項記載の方法。
【請求項１０】
心臓組織を、生検鉗子を用いて得る、前記請求項のいずれか一項記載の方法。
【請求項１１】
前記請求項のいずれか一項記載の方法によって作製されたカーディオスフェア。
【請求項１２】
心臓損傷または心臓疾患を処置するための薬剤を調製する際に使用するための、前記請求項のカーディオスフェアの使用。
【請求項１３】
細胞が懸濁培養においてカーディオスフェアを形成する能力を有するが、それらがカーディオスフェアの形状にはない、単層状態のインビトロで増幅させた細胞の集団。
【手続補正書】
【提出日】平成20年11月6日(2008.11.6)
【手続補正１】
【補正対象書類名】特許請求の範囲
【補正対象項目名】全文
【補正方法】変更
【補正の内容】
【特許請求の範囲】
【請求項１】
血管内の血餅を捕捉するためのフィルタ（２０）において、
ワイヤガイドを受け入れて通す通路（４３）を有するハブ（４２）と、
前記フィルタ（２０）が前記血管内に配備されるときに、前記ハブ（４２）から伸張し、前記フィルタ（２０）を前記血管に固定する各フック（５２）で終端をなす複数の一次支柱（３８）と、
前記ハブ（４２）から伸張している複数の二次支柱（４０）であって、前記フィルタ（２０）が前記血管内に配備される際に前記血管の内側と係合して前記フィルタ（４０）を前記血管の中心に位置決めする、複数の二次支柱（４０）と、
を備えているフィルタ。
【請求項２】
前記ハブ（４２）には、前記フィルタを前記血管から取り出すための溝（４５）が設けられている、請求項１に記載のフィルタ。
【請求項３】
前記一次支柱（３８）と前記二次支柱（４０）のそれぞれは、前記ハブ（４２）に収納された固定端を含んでおり、前記一次支柱と前記二次支柱の固定端は、束にして一体に固定され、前記通路（４３）を通って伸張する中心軸線（４４）を画定しており、前記中心軸線（４４）は、前記フィルタ（２０）がそれ自身を前記血管内で中心に位置決めしたとき、前記血管を通って伸張する長手方向軸線と実質的に平行である、請求項１又は２に記載のフィルタ。
【請求項４】
前記フィルタ（２０）は、潰れた形態と展開した形態を有しており、前記フィルタ（２０）は、前記血管内に配備される際、前記潰れた形態から前記展開した形態に広がり、前記二次支柱（４０）は、前記フィルタがその展開した形態に広がる際に、前記フィルタを中心に位置決めする、請求項１又は２に記載のフィルタ。
【請求項５】
前記一次支柱（３８）と二次支柱（４０）は、前記フィルタが前記展開形態にあるときにはネットを形成して、血餅を捕捉する、請求項３に記載のフィルタ。
【請求項６】
前記フック（５２）には、前記血管の内壁と係合する返し（５４）が設けられている、請求項１又は２に記載のフィルタ。
【請求項７】
前記一次支柱（３８）は、形状記憶合金で作られている、請求項１又は２に記載のフィルタ。
【請求項８】
前記二次支柱（４０）は、形状記憶合金で作られている、請求項１又は２に記載のフィルタ。
【請求項９】
前記一次支柱（３８）は、前記通路の周りに周方向に間隔を空けて配置されており、前記一次支柱の間の前記間隔は実質的に等しい、請求項１又は２に記載のフィルタ。
【請求項１０】
対になった二次支柱（４０）が、各対ごとに間隔を空けて配置された一次支柱の、それぞれの間に周方向に配置されている、請求項９に記載のフィルタ。
【請求項１１】
一次支柱（３８）は、二次支柱の各対の間に配置されている、請求項９に記載のフィルタ。
【請求項１２】
前記複数の一次支柱（３８）は、４本の一次支柱である、請求項１又は２に記載のフィルタ。
【請求項１３】
前記複数の二次支柱（４０）は、８本の二次支柱である、請求項１又は２に記載のフィルタ。
【手続補正書】
【提出日】平成20年10月24日(2008.10.24)
【手続補正１】
【補正対象書類名】明細書
【補正対象項目名】００３５
【補正方法】変更
【補正の内容】
【００３５】
新鮮なおよび／または再生された触媒は、一般的には、主として反応器の頂部に、ライン（１０２）、次いで、管（２ａ）を介して供給される。この触媒は、連続的または断続的にゆっくりと、図１において（３ａ）で示される帯域Ｚａに流れる。帯域Ｚａは、上部反応帯域である。この帯域の下部では、触媒が、収集帯域（４ａ）において集められ、次いで、触媒は、チャンバ（５）内に流れる。この触媒の一部（部分的に消耗された）は、管（１０４）を介して抜き出され、典型的には再生される。チャンバ（５）は、触媒等の粒状物を抜き出すのを促進する手段（図示せず）、例えば、抜き出しスクリューまたは圧気輸送ドラム、流動床または当業者に知られる任意の他の手段を提供され得る。水平線に対して少なくとも６０℃傾斜した管（１０４）および場合によっては、触媒の排出を促進するように触媒の給気ガス（例えば窒素）の注入口を用いることも可能である。
【手続補正２】
【補正対象書類名】明細書
【補正対象項目名】００３６
【補正方法】変更
【補正の内容】
【００３６】
チャンバ（５）内に存在する触媒の抜き出されなかった部分は、混合チャンバ（７）に流れ、バルブ（６）を介するライン（１０３）を介して導入される新鮮なおよび／または再生された触媒の別の一部と混合される。新鮮なおよび／または再生された触媒の導入を促進するように、水平線に対して少なくとも６０℃傾斜し、その端部に場合によっては触媒の給気ガス（例えば窒素）の注入口を含む管（１０３）を用いることが可能である。
【手続補正３】
【補正対象書類名】明細書
【補正対象項目名】００４３
【補正方法】変更
【補正の内容】
【００４３】
熱流体循環による熱交換器（８）は、帯域ＺａとＺｂとの間を移動する反応流体と熱交換を行うように反応器の内側における中間帯域（２２）（それ自体反応器の内部に配置される）中に配置される。この熱交換器は、反応器の内側におけるこのようにきれいにされたスペースのため、有利には、触媒経路のくびれ部（２ｂ）に配置される。